(57)【要約】【課題】本体ケースから外側に旋回突出するジャック部構造であって、従来よりも少ない旋回角度でプラグピンの挿入が可能で、不使用時のジャック部収納スペースの省スペース化が可能な電子機器の接続ジャック部の取付構造の提供を目的とする。【解決手段】電子機器の本体ケースの一部から外側に旋回開閉するカバー体を有し、前記カバー体は他の外部機器に接続するためのジャック部を一体的に有するとともに、当該カバー体の一端側に設けた旋回軸部を本体ケース側に設けた旋回軸受けにて軸支し、他端側は本体ケースの外側に所定角度旋回するものであり、当該他端側が外側に向けて旋回するにつれて前記旋回軸部が所定量前進移動する移動手段を有することを特徴とする。【選択図】  図１
2012065009.tif 000002
【特許請求の範囲】
【請求項１】
電子機器の本体ケースの一部から外側に旋回開閉するカバー体を有し、
前記カバー体は他の外部機器に接続するためのジャック部を一体的に有するとともに、当該カバー体の一端側に設けた旋回軸部を本体ケース側に設けた旋回軸受けにて軸支し、他端側は本体ケースの外側に所定角度旋回するものであり、
当該他端側が外側に向けて旋回するにつれて前記旋回軸部が所定量前進移動する移動手段を有することを特徴とする電子機器の接続ジャック部の取付構造。
【請求項２】
前記カバー体は本体ケースのコーナー部に設けてあり、
前記一端側は側面部に位置し、他端側がコーナーＲ部のＲ面途中に位置していることを特徴とする請求項１記載の電子機器の接続ジャック部の取付構造。
【請求項３】
前記旋回軸部を移動させる移動手段は、当該軸部と異なる位置であって、カバー体側と本体ケース側との一方にガイドピンを設け、他方にスライド溝部を形成したものであることを特徴とする請求項１又は２記載の電子機器の接続ジャック部の取付構造。
【請求項４】
前記旋回軸部を移動させる移動手段は、前記旋回軸部にカムを連結してあり、本体ケース側に前記旋回軸部の回転によりカムがスライド当接して当該旋回軸部を移動させる斜面部を有することを特徴とする請求項１又は２記載の電子機器の接続ジャック部の取付構造。
【請求項５】
電子機器は携帯電話機であることを特徴とする請求項１〜４のいずれかに記載の電子機器の接続ジャック部の取付構造。
【発明の詳細な説明】
【技術分野】
【０００１】
本発明は携帯電話機等の電子機器の接続ジャック部の取付構造に関し、特に他の外部機器とピンジャック接続する場合に接続ジャック部が電子機器の本体ケースから旋回突出する構造に係る。
【背景技術】
【０００２】
各種電子機器はアダプター等と接続するためのＤＣジャック等の接続ジャック部を有し、携帯電話機にあっては、音声出力装置等の外部機器をピンジャック接続するためのＡＶジャック等の接続ジャック部を有している。
【０００３】
従来の一般的な接続ジャック部の構造は、特許文献１の従来図、図５〜７に記載してあるようにイヤホーン等を接続するジャック部の嵌合面を本体ケースの側面に露出固定し、この嵌合面を変形可能なゴム材質等のキャップで覆う構造を採用している。
しかし、このように後付けでキャップを取り付ける場合にイヤホーンの接続時等においてキャップの取り外し、及び取り付けが面倒であり、変形可能な材料を用いなければならないことから、一般に本体ケースとは異なる材質を用いることになり、本体ケースとの一体感が失われる。
また、キャップが本体ケースから脱落する恐れもあった。
【０００４】
そこで、特許文献１では本体ケースの一部を覆うカバーを本体ケースに対して出し入れ可能に軸支したイヤホーンジャックの取付構造を提案している。
しかし、同公報に開示するジャック部の取付構造は、カバーの開閉軸が本体ケース側に軸支されているものの旋回中心が一定であるためにジャック部の嵌合面を外部に露出するのに旋回角度を大きくしなければならず、またジャック部を外側に突出旋回させた状態ではジャック部先端側と本体ケースの開口部との間に大きな隙間が生じてしまう問題があった。
【先行技術文献】
【特許文献】
【０００５】
【特許文献１】特開平１０−３３６２９３号公報
【発明の概要】
【発明が解決しようとする課題】
【０００６】
本発明は、本体ケースから外側に旋回突出するジャック部構造であって、従来よりも少ない旋回角度でプラグピンの挿入が可能で、不使用時のジャック部収納スペースの省スペース化が可能な電子機器の接続ジャック部の取付構造の提供を目的とする。
【課題を解決するための手段】
【０００７】
本発明に係る電子機器の接続ジャック部の取付構造は、電子機器の本体ケースの一部から外側に旋回開閉するカバー体を有し、前記カバー体は他の外部機器に接続するためのジャック部を一体的に有するとともに、当該カバー体の一端側に設けた旋回軸部を本体ケース側に設けた旋回軸受けにて軸支し、他端側は本体ケースの外側に所定角度旋回するものであり、当該他端側が外側に向けて旋回するにつれて前記旋回軸部が所定量前進移動する移動手段を有することを特徴とする。
ここで、カバー体にジャック部が一体的に有するとは、カバー体の旋回に伴ってジャック部が同時に旋回するようにカバー体側に取り付けられていることをいい、物理的に一体又は別体であるかは問わない趣旨である。
また、カバー体の外側への旋回につれて旋回軸が前進移動するとは、カバー体の旋回突出する先端が前進移動する方向に旋回軸が移動することをいう。
【０００８】
本発明にあっては、前記カバー体は本体ケースのコーナー部に設けてあり、前記一端側は側面部に位置し、他端側がコーナーＲ部のＲ面途中に位置しているものであってもよい。
【０００９】
本発明にあって、前記旋回軸部を移動させる移動手段は、当該軸部と異なる位置であって、カバー体側と本体ケース側との一方にガイドピンを設け、他方にスライド溝部を形成したものや、前記旋回軸部にカムを連結してあり、本体ケース側に前記旋回軸部の回転によりカムがスライド当接して当該旋回軸部を移動させる斜面部を有するものであってもよい。
本発明において電子機器に特に制限はないが、携帯電話機に適用することができる。
【発明の効果】
【００１０】
本発明に係るカバー体は、本体ケースの外側に旋回突出する際に、旋回軸が前方に移動しながら旋回するので、従来よりも小さな旋回角度でプラグピンの挿入が可能になり、カバー体の先端側と本体ケースとの隙間を小さく抑えることができる。
これにより接続ジャック部の収納スペースの省スペース化も可能になる。
【図面の簡単な説明】
【００１１】
【図１】本発明に係る接続ジャック部を備えたカバー体の旋回突出機構例を示す。  （ａ）は本体ケースに接続ジャック部が収納された状態を示し、（ｂ）は矢印Ｓで示す方向である前方にｄだけ移動しながら旋回突出する状態を示す。  （ｃ）はカバー体とともに接続ジャック部が突出した状態の要部図を示す。
【図２】（ａ）は接続ジャック部の部品構成図を示し、（ｂ）は組み立てた状態の裏面側斜視図を示す。
【図３】接続ジャック部（カバー部）の本体ケース収納状態（ａ）と突出状態（ｂ）との透視図を示す。
【図４】（ａ）は本体ケースにカバー体を取り付ける前、（ｂ）はその取り付け後の状態を示す。
【図５】プラグピンの差し込みの流れを（ａ），（ｂ），（ｃ）で示し、（ｄ）は仮に旋回軸が移動しなかった場合の状態を示す。
【図６】本体ケースの平面部にカバー体を設けた例を示し、（ａ），（ｂ），（ｃ）はプラグピンの差し込みを示し、（ｄ）は仮に旋回軸が移動しなかった場合の状態を示す。
【図７】携帯電話機に本発明に係るジャック部取付構造を適用した例を示し、（ａ）は突出前側、（ｂ）は突出後を示す。
【図８】旋回軸にカム機構を採用した例を示し、（ａ）は収納状態、（ｂ）は突出状態を示す。
【発明を実施するための形態】
【００１２】
本発明に係る接続ジャック部の取付構造を以下携帯電話機を例にして説明するが、本発明は電子機器に電源アダプターのプラグピンを接続するもの等、各種電子機器に適用できる。
【００１３】
図７に携帯電話機の本体ケース１のコーナー部に接続ジャック部を旋回突出するためのカバー体１０を設けた例を示す。
なお、後述するように本発明に係る接続ジャック部の取付位置は平面的な側面部に設けてもよいが、コーナー部に設けると効果的である。
カバー体１０の旋回開閉する動きを図１に示し、図２は部品の構成例を示し、図３は内部の透視図を示し、図４はカバー体１０の本体ケース１への取付構造例を示す。
【００１４】
図２に示すように、カバー体１０は内側にジャック部２０を一体的に収容してあり、カバー体１０に設けたプラグピンの挿入口１３とジャック部２０の接続口２１とが一致している。
本実施例ではジャック部２０の内部に設けたプラグピンとの接点部２２を有するコンタクトはフレキシブルプリント基板（ＦＰＣ）２３と電気接続され、電子機器の本体側基板と電気接続するようになっている。
このように、フレキシブルプリント基板（ＦＰＣ）２３を用いることによって、カバー体１０の旋回開閉に伴って、ジャック部２０が本体側基板に対して変位することが許容される。
内側にジャック部２０を収容したカバー体１０は本体ケースに取り付けるためのベース部３０に組み込むことでユニット化されている。
このユニット化されたカバー体一体型接続ジャック部は図４に示すように、本体ケース１の内側に設けた断面コ字形状の取付係合部１ｄにベース部３０に設けた係止凸部３３を嵌着する。
なお、本体ケースへの取付方法はこれに限定されない。
この際にカバー体１０は本体ケース１の開口部１ｃから外部に旋回開閉するようになっていて、カバー体１０を本体ケース１と同一材料の樹脂材料等で成形すると図７に示すようにコーナー部に取り付けた際に本体ケースとのデザイン的な一体感がある。
【００１５】
次にカバー体１０の旋回機構について説明する。
図１及び図２に示すようにカバー体１０の後方一端側には両側の側面から後方に延びた一対の旋回軸１１を有し、この旋回軸１１を平面視略コ字形状のベース部３０の後部に設けた側面視略Ｕ字状に凹ませた旋回軸受け３１に軸支させてある。
カバー体１０の両側の側面であって、前記旋回軸１１よりは先端側途中から突出したガイドピン１２を有し、このガイドピン１２はベース部３０の両サイド内側に設けた一対のリブ３２ａ，３２ｂで形成したガイド溝３２に沿ってスライドする。
このガイド溝３２は図１に示すようにカバー体１０の先端側が本体ケース１の外側に旋回するにつれて、この先端側が前方に移動するようにリブ３２の下端から上端にかけてカバー体１０の先端側に傾斜した傾斜面Ｄを設けた例になっている。
これにより、カバー体１０が本体ケース１に収納された図１（ａ）の状態では、旋回軸１１は旋回軸受け３１の後方側に位置し、図１（ｂ）に示すようにカバー体１０の先端が外側に旋回突出するにつれて旋回軸１１の軸中心Ｏが前方に移動する。
その移動量はｄ１−ｄ０＝ｄの値である。
従って、旋回軸受け３１の前後方向の凹部幅寸法は旋回軸１１の移動量ｄを許容できるように横長になっている。
【００１６】
カバー体（ジャック部）の先端側が本体ケース１の外側に旋回するにつれて、この旋回軸１１が前方に移動するようにした効果を図５に基づいて説明する。
カバー体１０の後方一端側が本体ケース１の側面（平面部）１ａに位置し、前方他端側が本体ケース１のコーナーＲ部のＲ面１ｂの途中に位置させた場合に、図５（ａ）のカバー１０（ジャック部２０）の収納状態から図５（ｂ）に示すような旋回突出状態にする際に、旋回軸中心Ｏが寸法ｄだけ矢印Ｓの方向に移動する。
本実施例では、カバー体１０の収納状態［図５（ａ）］と旋回突出状態［図５（ｂ）］をそれぞれ維持できるようにカバー体１０側に板バネからなる弾性部材４０を取り付け、この弾性部材４０の後方凸部４０ａがベース部３０側に設けた係止リブ３４の上端３４ａ（収納状態）と下側凹部３４ｂ（突出状態）とに弾性係止する例になっている。
図５（ｄ）にカバー体１０が前方に移動しなかった場合を図示してあり、これと図５（ｃ）とを比較する。
カバー体１０に取り付けたジャック部２０にプラグ２を差し込む場合にプラグ２には先端にプラグピン２ａを有し、その後方に絶縁皮覆部２ｂを有する。
従って図５（ｃ）と図５（ｄ）とでカバー体１０の旋回角度が同じであれば、カバー体１０の先端部と本体ケース１ｂとの間の隙間は、図５（ｄ）の隙間ａ１よりもカバー体１０が前方Ｓの方向に寸法ｄだけ移動した図５（ｃ）の隙間ａの方が少なくなり見映えがよい。
また、図５（ｄ）の状態ではプラグ２の絶縁皮覆部２ｂが本体ケース１ｂの先端部ｂと干渉する。
従って、カバー体１０を前方に移動させることで、プラグ２を差し込む際の旋回角度を図５（ｄ）の場合よりも小さくすることができる。
【００１７】
図６には、カバー体１０を本体ケース１の平面的な側面部に設けた例を示す。
この場合であっても、図６（ｃ）に示したカバー体１０を矢印Ｓの方向に寸法ｄだけ前方移動させることで、本体ケースとの隙間ａが図６（ｄ）に示した移動しない場合の隙間ａ１よりも寸法ｄだけ小さくすることができる。
【００１８】
図８はカバー体１０の旋回軸１１の前方移動手段としてカム機構を採用した例を示す。
旋回軸１１には後方に向けて略半円状に突出したカム１４を連結してあり、ベース部３０あるいは本体ケース１側に下方に向けてカバー体の先端側に傾斜させた傾斜スライド面（斜面部）１ｅを設けた例になっている。
これにより、カバー体１０の先端が所定の角度だけ外側に旋回突出すると、旋回軸１１の中心Ｏが寸法ｄだけ前方に移動する。
【符号の説明】
【００１９】
１        本体ケース
１０      カバー体
１１      旋回軸
１２      ガイドピン
２０      ジャック部
２１      接続口
２２      接点部
２３      ＦＰＣ
３０      ベース部
３１      旋回軸受け
３２      ガイド溝
４０      弾性部材
【図１】
2012065009.tif 000003
【図２】
2012065009.tif 000004
【図３】
2012065009.tif 000005
【図４】
2012065009.tif 000006
【図５】
2012065009.tif 000007
【図６】
2012065009.tif 000008
【図７】
2012065009.tif 000009
【図８】
2012065009.tif 000010